(57)【要約】      （修正有）【課題】マイクロレンズアレイを用いる構成において、モアレを低減することが可能なスクリーン等を提供する。【解決手段】複数のプリズム部を備え、光を角度変換する角度変換部と、第１の方向、及び第１の方向に略直交する第２の方向にアレイ状に設けられた複数のマイクロレンズ素子を備えるマイクロレンズアレイと、を有し、第１の方向と、第２の方向と、第１の方向及び第２の方向を含む二次元方向のうち第１の方向及び第２の方向のいずれとも異なる方向である第３の方向と、のいずれか一つの方向についてマイクロレンズ素子を並列させるピッチをｄｍ、プリズム部を並列させるピッチをｄｆ、任意の自然数をｉ及びｊ、とすると、第１の方向、第２の方向、第３の方向のいずれのピッチｄｍについても以下の条件式を満足する。2006330337.tif 000008【選択図】なし【特許請求の範囲】
【請求項１】
光を透過させることにより画像を表示するためのスクリーンであって、
複数のプリズム部を備え、光を角度変換する角度変換部と、
第１の方向、及び前記第１の方向に略直交する第２の方向にアレイ状に設けられた複数のマイクロレンズ素子を備えるマイクロレンズアレイと、を有し、
前記第１の方向と、前記第２の方向と、前記第１の方向及び前記第２の方向を含む二次元方向のうち前記第１の方向及び前記第２の方向のいずれとも異なる方向である第３の方向と、のいずれか一つの方向について前記マイクロレンズ素子を並列させるピッチをｄｍ、前記プリズム部を並列させるピッチをｄｆ、任意の自然数をｉ及びｊ、とすると、前記第１の方向、前記第２の方向、前記第３の方向のいずれのピッチｄｍについても以下の条件式を満足することを特徴とするスクリーン。
【数１】
2006330337.tif 000006
【請求項２】
前記画像を形成する画素のピッチをｄｐとすると、さらに以下の条件式を満足することを特徴とする請求項１に記載のスクリーン。
【数２】
2006330337.tif 000007
【請求項３】
光源部からの光を画像信号に応じて変調する空間光変調装置と、
請求項１又は２に記載のスクリーンと、を有することを特徴とする画像表示装置。
【発明の詳細な説明】
【技術分野】
【０００１】
本発明は、スクリーン及び画像表示装置、特に、画像信号に応じた光を透過させることにより画像を表示する画像表示装置のスクリーンに関する。
【背景技術】
【０００２】
画像信号に応じた光を透過させることにより画像を表示する、いわゆるリアプロジェクタには、光を透過させる透過型のスクリーンが用いられる。透過型のスクリーンには、例えば、フレネルレンズやレンチキュラーレンズアレイが用いられる。フレネルレンズは、画像信号に応じた光を観察者側へ角度変換する。レンチキュラーレンズアレイは、画像信号に応じた光を拡散させる。フレネルレンズは、略同心円状に設けられた複数のプリズム部を有する。レンチキュラーレンズアレイは、一方向に並列された複数のレンチキュラーレンズを有する。フレネルレンズ及びレンチキュラーレンズアレイのいずれも、周期構造をなしている。フレネルレンズやレンチキュラーレンズアレイの周期構造と、スクリーンに表示される画像の画素とが重なり合うと、画像にモアレが発生する場合がある。モアレは、表示すべき画像に無いはずの色彩や模様を出現させることにより画質の低下を引き起こす。フレネルレンズやレンチキュラーレンズアレイを用いるスクリーンにおいてモアレを低減するための技術としては、例えば、特許文献１に提案されているものがある。
【０００３】
【特許文献１】特開平９−１５７３１号公報
【発明の開示】
【発明が解決しようとする課題】
【０００４】
透過型のスクリーンは、レンチキュラーレンズアレイに代えて、マイクロレンズアレイを用いる構成とすることも考えられる。マイクロレンズアレイは、球面もしくは非球面を備えるマイクロレンズ素子を二次元方向に配列させて構成される。レンチキュラーレンズが一方向、例えば水平方向について曲率を有するのに対して、マイクロレンズ素子は、略直交する二方向、例えば垂直方向及び水平方向について曲率を有する。このため、マイクロレンズアレイを用いるスクリーンは、略直交する二方向について良好な視野角を得られる利点を有する。ここで、レンチキュラーレンズアレイに代えてマイクロレンズアレイを設ける構成の場合、上記特許文献１に提案される技術を用いても、モアレを生じてしまう場合がある。このように、マイクロレンズアレイを用いるスクリーンに対して従来の技術を適用したとしても、モアレを低減することが困難であるという問題が生じる。本発明は、上述の問題に鑑みてなされたものであり、マイクロレンズアレイを用いる構成において、モアレを低減することが可能なスクリーン、及びそのスクリーンを用いることにより、モアレが少なく高品質な画像を表示することが可能な画像表示装置を提供することを目的とする。
【課題を解決するための手段】
【０００５】
上述した課題を解決し、目的を達成するために、本発明によれば、光を透過させることにより画像を表示するためのスクリーンであって、複数のプリズム部を備え、光を角度変換する角度変換部と、第１の方向、及び第１の方向に略直交する第２の方向にアレイ状に設けられた複数のマイクロレンズ素子を備えるマイクロレンズアレイと、を有し、第１の方向と、第２の方向と、第１の方向及び第２の方向を含む二次元方向のうち第１の方向及び第２の方向のいずれとも異なる方向である第３の方向と、のいずれか一つの方向についてマイクロレンズ素子を並列させるピッチをｄｍ、プリズム部を並列させるピッチをｄｆ、任意の自然数をｉ及びｊ、とすると、第１の方向、第２の方向、第３の方向のいずれのピッチｄｍについても以下の式（１）を満足することを特徴とするスクリーンを提供することができる。
【０００６】
【数１】
2006330337.tif 000002
【０００７】
従来用いられるレンチキュラーレンズアレイは、レンチキュラーレンズを一方向に並列させて構成されている。レンチキュラーレンズアレイは、レンチキュラーレンズを並列させる一方向について周期構造を有している。これに対して、マイクロレンズ素子を二次元方向において規則的、かつ隙間無く配列させたマイクロレンズアレイの場合、通常、垂直方向、水平方向、及び斜め方向について周期構造を有する。フレネルレンズは、略同心円状に配列された複数のプリズム部を有する。この場合、マイクロレンズアレイと画素とによって生じるモアレを低減可能な構成にしたとしても、マイクロレンズアレイとフレネルレンズとによって、垂直方向、水平方向、及び斜め方向においてモアレを生じる可能性がある。本発明のスクリーンは、垂直方向及び水平方向である第１の方向、第２の方向のほかに、斜め方向である第３の方向についても上記の式（１）を満足するピッチｄｍでマイクロレンズ素子が設けられたマイクロレンズアレイを有する。かかる構成により、垂直方向、水平方向、及び斜め方向について周期構造を有するマイクロレンズアレイと、フレネルレンズとにより生じるモアレを低減することが可能となる。これにより、マイクロレンズアレイを用いる構成において、モアレを低減することが可能なスクリーンを得られる。
【０００８】
また、本発明の好ましい態様によれば、画像を形成する画素のピッチをｄｐとすると、さらに以下の式（２）を満足することが望ましい。
【０００９】
【数２】
2006330337.tif 000003
【００１０】
上記の式（２）を満足する構成により、マイクロレンズアレイと画素とによって生じるモアレを低減することが可能となる。これにより、さらにモアレを低減することが可能なスクリーンを得られる。
【００１１】
さらに、本発明によれば、光源部からの光を画像信号に応じて変調する空間光変調装置と、上記のスクリーンと、を有することを特徴とする画像表示装置を提供することができる。上記のスクリーンを有することから、モアレを低減することが可能である。これにより、モアレが少なく高品質な画像を表示することが可能な画像表示装置を得られる。
【発明を実施するための最良の形態】
【００１２】
以下に図面を参照して、本発明の実施例を詳細に説明する。
【実施例】
【００１３】
図１は、本発明の実施例に係る画像表示装置であるプロジェクタ１０の概略構成を示す。プロジェクタ１０は、スクリーン２２の一方の面に光を投写し、スクリーン２２の他方の面から出射する光を観察することで画像を鑑賞する、いわゆるリアプロジェクタである。光源部である超高圧水銀ランプ１１は、第１色光である赤色光（以下、「Ｒ光」という。）、第２色光である緑色光（以下、「Ｇ光」という。）、及び第３色光である青色光（以下、「Ｂ光」という。）を含む光を供給する。
【００１４】
インテグレータ１２は、超高圧水銀ランプ１１からの光の照度分布を略均一にする。照度分布が均一化された光は、偏光変換素子１３にて特定の振動方向を有する偏光光、例えばｓ偏光光に変換される。ｓ偏光光に変換された光は、色分離光学系を構成するＲ光透過ダイクロイックミラー１４Ｒに入射する。Ｒ光透過ダイクロイックミラー１４Ｒは、Ｒ光を透過し、Ｇ光、Ｂ光を反射する。Ｒ光透過ダイクロイックミラー１４Ｒを透過したＲ光は、反射ミラー１５に入射する。反射ミラー１５は、Ｒ光の光路を９０度折り曲げる。光路を折り曲げられたＲ光は、Ｒ光を画像信号に応じて変調する空間光変調装置１７Ｒに入射する。空間光変調装置１７Ｒは、Ｒ光を画像信号に応じて変調する透過型の液晶表示装置である。なお、ダイクロイックミラーを透過しても、光の偏光方向は変化しないため、空間光変調装置１７Ｒに入射するＲ光は、ｓ偏光光のままの状態である。
【００１５】
空間光変調装置１７Ｒに入射したｓ偏光光は、ｐ偏光光に変換された後、不図示の液晶パネルに入射する。液晶パネルは、２つの透明基板の間に、画像表示のための液晶層を封入している。液晶パネルに入射したｐ偏光光は、画像信号に応じた変調によりｓ偏光光に変換される。空間光変調装置１７Ｒは、変調によりｓ偏光光に変換されたＲ光を射出する。このようにして、空間光変調装置１７Ｒで変調されたＲ光は、色合成光学系であるクロスダイクロイックプリズム１８に入射する。
【００１６】
Ｒ光透過ダイクロイックミラー１４Ｒで反射されたＧ光及びＢ光は、光路を９０度折り曲げられる。光路を折り曲げられたＧ光及びＢ光は、Ｂ光透過ダイクロイックミラー１４Ｇに入射する。Ｂ光透過ダイクロイックミラー１４Ｇは、Ｇ光を反射し、Ｂ光を透過する。Ｂ光透過ダイクロイックミラー１４Ｇで反射されたＧ光は、Ｇ光を画像信号に応じて変調する空間光変調装置１７Ｇに入射する。空間光変調装置１７ＧはＧ光を画像信号に応じて変調する透過型の液晶表示装置である。
【００１７】
空間光変調装置１７Ｇに入射するＧ光は、ｓ偏光光に変換されている。空間光変調装置１７Ｇに入射したｓ偏光光は、そのまま液晶パネルに入射する。液晶パネルに入射したｓ偏光光は、画像信号に応じた変調によりｐ偏光光に変換される。空間光変調装置１７Ｇは、変調によりｐ偏光光に変換されたＧ光を射出する。このようにして、空間光変調装置１７Ｇで変調されたＧ光は、クロスダイクロイックプリズム１８に入射する。
【００１８】
Ｂ光透過ダイクロイックミラー１４Ｇを透過したＢ光は、２枚のリレーレンズ１６と、２枚の反射ミラー１５とを経由して、Ｂ光を画像信号に応じて変調する空間光変調装置１７Ｂに入射する。空間光変調装置１７Ｂは、Ｂ光を画像信号に応じて変調する透過型の液晶表示装置である。なお、Ｂ光にリレーレンズ１６を経由させるのは、Ｂ光の光路の長さがＲ光及びＧ光の光路の長さよりも長いためである。リレーレンズ１６を用いることにより、Ｂ光透過ダイクロイックミラー１４Ｇを透過したＢ光を、そのまま空間光変調装置１７Ｂに導くことができる。
【００１９】
空間光変調装置１７Ｂに入射するＢ光は、ｓ偏光光に変換されている。空間光変調装置１７Ｂに入射したｓ偏光光は、ｐ偏光光に変換された後液晶パネルに入射する。液晶パネルに入射したｐ偏光光は、画像信号に応じた変調によりｓ偏光光に変換される。空間光変調装置１７Ｂは、変調によりｓ偏光光に変換されたＢ光を射出する。このようにして、空間光変調装置１７Ｂで変調されたＢ光は、色合成光学系であるクロスダイクロイックプリズム１８に入射する。色分離光学系を構成するＲ光透過ダイクロイックミラー１４ＲとＢ光透過ダイクロイックミラー１４Ｇとは、超高圧水銀ランプ１１から供給される光を、Ｒ光、Ｇ光、Ｂ光に分離する。
【００２０】
色合成光学系であるクロスダイクロイックプリズム１８は、２つのダイクロイック膜１８ａ、１８ｂをＸ字型に直交して配置して構成されている。ダイクロイック膜１８ａは、Ｂ光を反射し、Ｒ光、Ｇ光を透過する。ダイクロイック膜１８ｂは、Ｒ光を反射し、Ｂ光、Ｇ光を透過する。このように、クロスダイクロイックプリズム１８は、空間光変調装置１７Ｒ、１７Ｇ、１７Ｂでそれぞれ変調されたＲ光、Ｇ光及びＢ光を合成する。
【００２１】
なお、上述のように、空間光変調装置１７Ｒ及び空間光変調装置１７Ｂからクロスダイクロイックプリズム１８に入射される光は、ｓ偏光光となるように設定される。また、空間光変調装置１７Ｇからクロスダイクロイックプリズム１８に入射される光は、ｐ偏光光となるように設定される。このようにクロスダイクロイックプリズム１８に入射される光の偏光方向を異ならせることで、クロスダイクロイックプリズム１８において各色光用空間光変調装置から射出される光を有効に合成できる。ダイクロイック膜１８ａ、１８ｂは、通常、ｓ偏光光の反射特性に優れる。このため、ダイクロイック膜１８ａ、１８ｂで反射されるＲ光及びＢ光をｓ偏光光とし、ダイクロイック膜１８ａ、１８ｂを透過するＧ光をｐ偏光光としている。
【００２２】
投写レンズ２０は、クロスダイクロイックプリズム１８で合成された光を反射ミラー２１の方向へ投写する。反射ミラー２１は、投写レンズ２０からの投写光をスクリーン２２の方向へ反射する。スクリーン２２は、画像信号に応じた光を透過することにより鑑賞者側の面に画像を表示するための透過型スクリーンである。スクリーン２２は、フレネルレンズ３０及びマイクロレンズアレイ４０を有する。
【００２３】
フレネルレンズ３０は、反射ミラー２１からの光を略平行な光に角度変換する角度変換部である。フレネルレンズ３０は、複数のプリズム部３１を有する。複数のプリズム部３１は、図２の平面構成に示すように、フレネルレンズ３０の中心に近い点Ｏを中心として、略同心円状に配置されている。各プリズム部３１は、凸レンズの凸面を切り出した輪状の切片と同様の形状を有する。プリズム部３１は、例えば０．１１ｍｍのピッチｄｆで配置されている。フレネルレンズ３０は、略同心円状に配置された各プリズム部３１により、画像信号に応じた光を略平行な光に角度変換する。また、フレネルレンズ３０は、略同心円状に設けられたプリズム部３１により、点Ｏから離れる方向について周期構造を有する。なお、プリズム部３１は、略同心円状に配置する場合に限られず、例えば、略同一位置に焦点を有する楕円状に配置することとしても良い。
【００２４】
マイクロレンズアレイ４０は、第１の方向であるＹ方向、及び第１の方向に略直交する第２の方向であるＸ方向にアレイ状に設けられた複数のマイクロレンズ素子４１を有する。Ｘ方向は水平方向、Ｙ方向は垂直方向である。マイクロレンズ素子４１は、球面もしくは非球面である第１面と、略平坦な第２面とを有する。マイクロレンズ素子４１は、フレネルレンズ３０からの光が入射する側に第１面を向けて設けられている。マイクロレンズアレイ４０は、マイクロレンズ素子４１における屈折作用により、フレネルレンズ３０からの光を観察者ＯＢＳ側にて拡散させる。
【００２５】
図３は、マイクロレンズ素子４１の配列について説明するものである。図３では、マイクロレンズ素子４１の第２面の配列を示している。マイクロレンズ素子４１の第２面は、六角形形状に形成されている。マイクロレンズアレイ４０は、六角形形状のマイクロレンズ素子４１を隙間無くハニカム状に配列させて構成されている。マイクロレンズ素子４１は、第１の方向であるＹ方向についてピッチｄｍ１で並列している。マイクロレンズ素子４１のピッチｄｍ１は、Ｙ方向に隣接するマイクロレンズ素子４１の中心位置間の距離である。また、第２の方向であるＸ方向について、マイクロレンズ素子４１は、ピッチｄｍ２で並列している。マイクロレンズ素子４１のピッチｄｍ２は、Ｘ方向に隣接するマイクロレンズ素子４１の中心位置間の距離である。
【００２６】
さらに、マイクロレンズ素子４１は、Ｙ方向及びＸ方向の間の斜め方向Ｗについて、ピッチｄｍ３で並列している。斜め方向Ｗは、第１の方向であるＹ方向及び第２の方向であるＸ方向を含む二次元方向のうち、Ｙ方向及びＸ方向のいずれとも異なる第３の方向である。マイクロレンズ素子４１のピッチｄｍ３は、斜め方向Ｗに隣接するマイクロレンズ素子４１の中心位置間の距離であって、マイクロレンズ素子４１の中心位置同士を結ぶ平行線間の距離である。マイクロレンズアレイ４０は、アレイ状に設けられたマイクロレンズ素子４１により、Ｙ方向、Ｘ方向、及び斜め方向Ｗについて周期構造を有している。
【００２７】
図４は、画素５０の配列について説明するものである。スクリーン２２に形成される画像は、Ｘ方向及びＹ方向に配列された複数の画素５０により構成されている。画素５０は、スクリーン２２上のＸ方向及びＹ方向について、例えば０．８ｍｍのピッチｄｐで形成される。画素５０は、Ｘ方向及びＹ方向について周期的に形成される。
【００２８】
ここで、第１の方向であるＹ方向、第２の方向であるＸ方向、及び第３の方向である斜め方向Ｗのいずれか一つの方向についてマイクロレンズ素子４１を並列させるピッチをｄｍ、プリズム部３１を並列させるピッチをｄｆ、任意の自然数をｉ及びｊ、とすると、画像に生じるモアレのピッチＰを、以下の式（３）のように表すことができる。
【００２９】
【数３】
2006330337.tif 000004
【００３０】
式（３）で表されるピッチＰのモアレは、マイクロレンズアレイ４０の周期構造及びフレネルレンズ３０の周期構造に起因して生じるものである。
【００３１】
図５は、マイクロレンズアレイ４０及びフレネルレンズ３０の周期構造に起因するモアレの発生について説明するものであって、マイクロレンズ素子４１のピッチｄｍとモアレのピッチＰとの関係を示すものである。図５に示す各曲線は、プリズム部３１のピッチｄｆを０．１１ｍｍ、自然数ｉを１とし、自然数ｊを１〜７の各値に設定した場合の結果を示している。上記の式（１）を満足するためには、式（３）により求められるモアレのピッチＰが３ｍｍ以下であることを要する。
【００３２】
図５に示すグラフから、マイクロレンズ素子４１のピッチｄｍを０．０６ｍｍ以上、例えば、０．０７２ｍｍと設定する場合に、上記の式（１）を満足することがわかる。Ｙ方向、Ｘ方向、斜め方向Ｗのいずれのピッチｄｍ１、ｄｍ２、ｄｍ３について上記の式（１）を満足するピッチｄｍでマイクロレンズ素子４１を並列させることにより、Ｙ方向、Ｘ方向、斜め方向Ｗについて生じるモアレを低減することができる。
【００３３】
さらに、画像を形成する画素５０のピッチをｄｐとすると、画像に生じるモアレのピッチＰを、以下の式（４）で表すことができる。
【００３４】
【数４】
2006330337.tif 000005
【００３５】
式（４）で表されるピッチＰのモアレは、マイクロレンズアレイ４０の周期構造及び画素５０に起因して生じるものである。
【００３６】
図６は、マイクロレンズアレイ４０の周期構造及び画素５０に起因するモアレの発生について説明するものであって、マイクロレンズ素子４１のピッチｄｍとモアレのピッチＰとの関係を示すものである。図６に示す各曲線は、画素５０のピッチｄｐを０．８ｍｍ、自然数ｉを１とし、自然数ｊを８〜１４の各値に設定した場合の結果を示している。上記の式（２）を満足するためには、式（４）により求められるモアレのピッチＰが３ｍｍ以下であることを要する。
【００３７】
図５に示すグラフから、例えば、マイクロレンズ素子４１のピッチｄｍを０．０６０ｍｍ、０．０６４ｍｍ、０．０７０ｍｍとする場合、上記の式（２）を満足することがわかる。Ｙ方向のピッチｄｍ１及びＸ方向のピッチｄｍ２について上記の式（２）を満足するピッチｄｍでマイクロレンズ素子４１を並列させることにより、Ｙ方向、Ｘ方向に生じるモアレを低減することができる。なお、モアレを低減可能であることは、出願人による実際の目視により確認されている。
【００３８】
図７は、本実施例のスクリーン２２、及びその比較例についての設計例を示すものである。図８は、上記の式（３）及び（４）により計算されるモアレのピッチ、及び目視によるモアレの有無についての評価を示すものである。本実施例は、上記の式（１）及び（２）を満足するフレネルレンズ３０及びマイクロレンズアレイ４０を用いることとする。比較例１、２は、いずれも、上記の式（１）及び（２）のうち少なくとも一方を満足しない場合ものである。
【００３９】
通常、モアレは、ピッチが３ｍｍより大きくなると、観察者に認識され易くなる。比較例１、２にでは、画素及びマイクロレンズ素子に起因するモアレのピッチが大きい値になるのに対して、本実施例では、プリズム部及びマイクロレンズ素子、画素及びマイクロレンズ素子のいずれについてもモアレのピッチを３ｍｍ以下とすることが可能である。さらに、比較例１、２の場合、目視によりモアレが確認されたのに対して、本実施例の場合、目視ではモアレは確認されていない。
【００４０】
従来用いられるレンチキュラーレンズアレイは、レンチキュラーレンズを一方向に並列させて構成されている。レンチキュラーレンズアレイは、レンチキュラーレンズを並列させる一方向について周期構造を有している。これに対して、マイクロレンズ素子４１をハニカム状に配列させたマイクロレンズアレイ４０は、垂直方向、水平方向、及び斜め方向について周期構造を有する。
【００４１】
本発明のスクリーンは、垂直方向及び水平方向である第１の方向、第２の方向のほかに、斜め方向である第３の方向についても上記の式（１）を満足するピッチｄｍでマイクロレンズ素子４１が設けられたマイクロレンズアレイ４０を有する。かかる構成により、垂直方向、水平方向、及び斜め方向について周期構造を有するマイクロレンズアレイ４０と、フレネルレンズ３０とにより生じるモアレを低減することが可能となる。また、上記の式（２）を満足する構成により、マイクロレンズアレイ４０と画素とによって生じるモアレを低減することが可能となる。これにより、マイクロレンズアレイ４０を用いる構成において、モアレを低減することができるという効果を奏する。さらに、モアレを低減することにより、モアレが少なく高品質な画像を表示することが可能である。
【００４２】
なお、スクリーン２２は、フレネルレンズ３０及びマイクロレンズアレイ４０以外の他の構成、例えば、光を拡散させる拡散板や、外光を吸収するブラックマトリックスを設けることとしても良い。例えば、ブラックマトリックスは、マイクロレンズ素子４１からの光が入射する位置以外の位置に、格子状に設けられる。本実施例のスクリーン２２は、ブラックマトリックスを用いる場合も、ブラックマトリックスの周期構造に起因するモアレの発生を低減することができる。
【００４３】
マイクロレンズアレイ４０は、六角形形状のマイクロレンズ素子４１をハニカム状に配列する構成に限られない。マイクロレンズアレイ４０は、垂直方向、水平方向、及び斜め方向に規則的にマイクロレンズ素子４１を配列する構成であれば良い。また、マイクロレンズ素子４１は、六角形形状以外の形状としても良い。
【００４４】
上記実施例に係るプロジェクタ１０は、光源部として超高圧水銀ランプを用いているが、これに限られない。例えば、発光ダイオード素子（ＬＥＤ）等の固体発光素子を用いても良い。また、３つの透過型液晶表示装置を設けた、いわゆる３板式のプロジェクタに限らず、例えば、反射型液晶表示装置を用いたプロジェクタやティルトミラーデバイスを用いたプロジェクタであっても良い。
【産業上の利用可能性】
【００４５】
以上のように、本発明に係るスクリーンは、画像信号に応じた光を透過させるプロジェクタのスクリーンとして用いる場合に有用である。
【図面の簡単な説明】
【００４６】
【図１】本発明の実施例に係るプロジェクタの概略構成を示す図。
【図２】フレネルレンズの平面構成を示す図。
【図３】マイクロレンズ素子の配列について説明する図。
【図４】画素の配列について説明する図。
【図５】マイクロレンズ素子のピッチとモアレのピッチとの関係を示す図。
【図６】マイクロレンズ素子のピッチとモアレのピッチとの関係を示す図。
【図７】スクリーンの設計例を説明する図。
【図８】モアレのピッチ、及びモアレの有無についての評価を説明する図。
【符号の説明】
【００４７】
１０  プロジェクタ、１１  超高圧水銀ランプ、１２  インテグレータ、１３  偏光変換素子、１４Ｒ  Ｒ光透過ダイクロイックミラー、１４Ｇ  Ｂ光透過ダイクロイックミラー、１５  反射ミラー、１６  リレーレンズ、１７Ｒ、１７Ｇ、１７Ｂ  空間光変調装置、１８  クロスダイクロイックプリズム、１８ａ、１８ｂ  ダイクロイック膜、２０  投写レンズ、２１  反射ミラー、２２  スクリーン、３０  フレネルレンズ、３１  プリズム部、４０  マイクロレンズアレイ、４１  マイクロレンズ素子、ＯＢＳ  観察者、５０  画素
【図１】
2006330337.tif 000009
【図２】
2006330337.tif 000010
【図３】
2006330337.tif 000011
【図４】
2006330337.tif 000012
【図５】
2006330337.tif 000013
【図６】
2006330337.tif 000014
【図７】
2006330337.tif 000015
【図８】
2006330337.tif 000016